(57)【要約】【課題】歩行者等の利用者が休憩等で利用できる空間を確保すると共に、掲示体としての機能も備えた簡易構造物を提供する。【解決手段】２個の支柱１の間に、平面視中央部が後方に湾曲する湾曲パネル２が支持されるように簡易構造物Ｐを構成すれば、湾曲パネル２に掲示物等のサイン３を取付けて掲示体として利用できると共に、通行人等の利用者が湾曲パネル２の前方の凹み部に近づいて携帯電話等をかける場合は、この湾曲パネル２は、後方のみでなく、側方からに対しても目かくしとして利用することができ、加えて湾曲パネル２より後方からの騒音が低減され通話しやすくなる。【選択図】        図１
2010047988.tif 000002
【特許請求の範囲】
【請求項１】
２個の支柱の間に、平面視中央部が後方に湾曲する湾曲パネルが支持されていることを特徴とする簡易構造物。
【請求項２】
前記湾曲パネルの前面に、座部と該座部を支持する脚部が配置されていることを特徴とする請求項１に記載の簡易構造物。
【請求項３】
前記湾曲パネルは、前後に間隔をおいて配置された前面板と背面板とからなり、前記前面板と背面板との間に、該湾曲パネルを支柱に固定するためのナットが設けられていることを特徴とする請求項１又は２に記載の簡易構造物。
【請求項４】
前記前面板及び背面板のいずれか又は双方に、横方向に沿って延びるリブが設けられ、該リブは前記表面板と裏面板との間に突出するように設けられていることを特徴とする請求項１〜３の何れか一項に記載の簡易構造物。
【発明の詳細な説明】
【技術分野】
【０００１】
本発明は、駅前や商業施設の広場や広幅員歩道等に設置され、歩行者等が軽休息するための簡易構造物に関するものである。
【背景技術】
【０００２】
従来、駅前や商業施設の広場や広幅員歩道、あるいは駅やバス等の待合いスペース等においては、電話ボックスや休息用のベンチが設置されていたが、電話ボックスは携帯電話の普及により減少傾向にあり、又ベンチへの長期間独占利用を避けるために、ベンチが撤去される場合があり、やはり減少傾向にある。一方、携帯電話利用者にとっては、上記の広場や歩道では、周りがうるさく、又会話の内容を聞かれたくないことから、利用しにくい環境にあり、又小休止したい歩行者等にとっては利用できる施設が限られている状況である。
【０００３】
又、上記のような広場や歩道においては、周辺の地図や、公共の掲示案内のための掲示板等が取付けられている。例えば、ベース面上に立設した中空支柱間に方形の中枠体を固着し、この中枠体の表裏の少なくとも片面に掲示物を掲示する掲示パネルを配設し、前記中枠体の上記片面側に透明パネルの框組体を開閉自在に取着した掲示体が提案されており、強度の高い掲示体を提供することができるものである（例えば、特許文献１参照。）。
【０００４】
【特許文献１】特開平９−８１０４５号公報
【発明の開示】
【発明が解決しようとする課題】
【０００５】
ところで、前記の掲示体は、掲示を主な目的とするものであり、掲示内容を読みやすくするために照明等を取付けるような付加機能はあるものの、掲示以外の目的に利用するための機能が付加されたものではなく、一般的に掲示以外の用いることは難しいものであった。
【０００６】
本発明は、前記の如き問題点を解消し、通行人等の利用者が携帯電話等を利用できる空間を確保すると共に、掲示体としての機能も備えた簡易構造物を提供せんとするものである。
【課題を解決するための手段】
【０００７】
上記目的を達成するために、本発明は次のような構成としている。
すなわちこの発明に係る簡易構造物は、２個の支柱の間に、平面視中央部が後方に湾曲する湾曲パネルが支持されていることを特徴とするものである。
【０００８】
本発明に係る簡易構造物において、湾曲パネルの前面に座部と該座部を支持する脚部を配置した構成としてもよい。
【０００９】
又、本発明に係る簡易構造物において、湾曲パネルを、前後に間隔をおいて配置された前面板と背面板とからなり、前記前面板と背面板との間に、該湾曲パネルを支柱に固定するためのナットを設けた構成としてもよい。
【００１０】
更に、本発明に係る簡易構造物において、前面板及び背面板のいずれか又は双方に、横方向に沿って延びるリブを設け、該リブを前記表面板と裏面板との間に突出するように設けた構成としてもよい。
【発明の効果】
【００１１】
本発明によれば、２個の支柱の間に、平面視中央部が後方に湾曲する湾曲パネルが支持されているので、湾曲パネルに掲示物等のサインを取付けて掲示体として利用できると共に、通行人等の利用者が湾曲パネルの前方の凹み部に近づいて携帯電話等をかける場合は、この湾曲パネルは、後方のみでなく、側方からに対しても目かくしとして利用することができ、加えて湾曲パネルより後方からの騒音が低減され通話しやすくなる。
【００１２】
本発明に係る簡易構造物において、湾曲パネルの前面に、座部と該座部を支持する脚部が配置されるように構成すれば、利用者が座部に腰掛ける際に、湾曲パネルにより日陰が形成され、休憩スペースを確保することができ、又、腰掛けた状態で携帯電話等を利用することもできるし、更に座部及び脚部は、簡易構造物と一体物として認識されやすいので、景観性を損うことがない。
【００１３】
又、本発明に係る簡易構造物において、湾曲パネルは、前後に間隔をおいて配置された前面板と背面板とからなり、前記前面板と背面板との間に、該湾曲パネルを支柱に固定するためのナットが設けられるように構成すれば、湾曲パネルを固定ボルト等を用いて支柱に取付作業や、取外し作業が容易となり、又取付作業後はナットが湾曲パネルの外からは見えないため、意匠性を損なうことがない。
【００１４】
更に本発明に係る簡易構造物において、前面板及び背面板のいずれか又は双方に、横方向に沿って延びるリブが設けられ、該リブは前記表面板と裏面板との間に突出するように設けられるように構成すれば、湾曲パネルの剛性を高めることができ、パネルの形状安定化が図られると共に、リブが外部に露出しないため、意匠性をそこなうことがない。
【発明を実施するための最良の形態】
【００１５】
次に、本発明を実施するための最良の形態について図面を参照し、具体的に説明する。
【００１６】
すなわち、図１は本発明に係る簡易構造物の第１の実施形態を示す前方側からの斜視図、図２は図１の背面図、図３は図１の平面図、図４は図１の側面図、図５は図１のＡ−Ａ断面における拡大横断面図、図６は図３のＢ−Ｂ断面における拡大縦断面図、図７は本発明に係る簡易構造物の第２の実施形態を示す説明図である。
【００１７】
図面において、１は支柱、２は２個の支柱１の間に取付けられた湾曲パネルであり、本発明に係る簡易構造物Ｐは、支柱１と湾曲パネル２から主に構成されるものである。
【００１８】
図１〜６は、本発明に係る簡易構造物Ｐの第１の実施形態を示す説明図である。図１〜４は、簡易構造物Ｐの前方側からの斜視図、背面図、平面図、及び側面図であり、支柱１は、適宜間隔をおいて２個立設されたものであり、一般には断面が円形状や矩形状で、アルミニウム合金、ステンレス鋼や鋼材からなる金属管により作成され、その表面にはめっきや塗装等の表面処理が施されている。そして支柱１の頂部は蓋が設けられ、支柱内部に雨水等が浸入しないようになされている。
【００１９】
図３は、図１のＡ−Ａ断面における横断面図である。湾曲パネル２は、中央部が後方に向けて湾曲された平面視略円弧状のものであり、２個の支柱１の間に取付金具１１を介して取付られたものであり、前後に間隔をおいて配置された前面板２１と背面板２２とを備えている。前面板２１と背面板２２は、いずれも中央部が後方に湾曲させたものであり、両側端部が連結されて一体化されている。そして、前面板２１と背面板２２の外面にはシート状のサイン３がそれぞれ取付けられている。
【００２０】
この２個の支柱１と湾曲パネル２において、通行人等の利用者が簡易構造物Ｐの前方から湾曲パネル２向いて携帯電話を使用する際は、通話時の声は湾曲パネル２によって遮音され、湾曲パネル２より後方の通行人に通話内容を聞かれる恐れは少なくなり、湾曲パネル２より後方で発生する騒音等も低減させることができる。又、利用者が湾曲パネルの前方の凹み部に近づいて携帯電話等をかける場合は、この湾曲パネルを、後方のみでなく、側方からに対しての目かくしとして利用することができる。又前面板２１と背面板２２とが間隔をおいて前後に配置していることから２重壁構造による吸音効果も期待することができる。更に利用者の声は湾曲パネル２の前面板により任意の方向に反射するので、声の大きさが減衰され利用者の後ろ側を通る他の通行人にも通話内容を聞かれる恐れは少なくなる。又、図１，４に示すように、湾曲パネル２の下部と地面との間に隙間Ｓが設けられていれば、他の通行人が、湾曲パネル２の後方から利用者に接近しても、足下を見れば容易に認識できるので、通話をやめたり、簡易構造物Ｐからすぐに離れたりすることができる。又、携帯電話使用時に、前面板２１に取付られたサイン３を見ることができるので、掲示体としても利用することができる。
【００２１】
湾曲パネル２の湾曲形状は、円弧状以外の形状でもよいが、本実施形態のように円弧状に形成されていれば、山型に形成された場合と比べて、比較的広くて効率の良い弓状空間を確保することができ、又、四角形状や台形状に形成された場合に比べて、湾曲パネル２の方向側に角部が生じないので、湾曲パネル２の後方側を通る通行人がパネル２１に接触しても怪我をする恐れが少なくなる。
【００２２】
湾曲パネル２の上下端部は、前面板２１と背面板２２との間に形成された中空部２３を塞ぐために上板と下板とが取付けられている。これにより、前面板２１と背面板２２の湾曲の曲率を保持すると共に、中空部２３内に雨水等の浸入を防ぐことができる。
【００２３】
湾曲パネル２は、一般には、２個の金属板において、一方の金属板の両側端を折り曲げてコ字状に形成し、もう一方の金属板の両端を前記金属板の折り曲げ部に接合して、２個の金属板の間に中空部を形成するものであり、金属板としては、鋼材、ステンレス合金、アルミニウム合金等が用いられ、その表面にはめっきや塗装等の表面処理が施されている。
【００２４】
次に、支柱１に対する湾曲パネル２の取付構造について説明する。図５は、図１のＡ−Ａ断面における拡大横断面図であり、支柱１と湾曲パネル２の取付構造を示すものである。支柱１の外周面から縦板状で取付孔１１が設けられた取付部材１２が突設され湾曲パネル２の背面板２２に当接されている。背面板２２は、前記取付孔１１と対応する位置に取付孔２４が設けられている。そして、背面板２２の内側に予めナットＮが固着されており、取付孔１１から取付孔２４を通って固定ボルトＢが挿入された際にナットＮに螺着される。これにより、支柱１に対する湾曲パネル２の取付け、取外し作業が容易になる。本実施形態では、湾曲パネル２は、上下左右計６箇所で取付ボルトＢにより取付けられているが、支柱１が湾曲パネル２を支持することができれば取付箇所の位置や個数は任意に設定できる。
【００２５】
取付孔２４は、湾曲パネル２の前面板２１に形成され、前面板２２の内側に前記ナットＮと固着し、前面板２１の外側から前記固定ボルトＢを挿入し、湾曲パネル２と支柱１に取付ける形態でもよい。
【００２６】
又、本実施形態では、固定ボルトＢの頭部を覆うカバー材２５が、固定ビスＢ１を介して取付部材１２に取付けられている。尚、カバー材２５は、支柱１や湾曲パネル２に取付けられる形態でもよい。
【００２７】
図６は、図２のＢ−Ｂ断面における拡大断面図である。前面板２１は、両側端を背面板２２に向けて折り曲げて断面コ字状に形成されると共に、折り曲げ部の先端が内方に折り曲げられ連結部が形成され、この連結部の外側が背面板２２に接合されている。そして、前面板２１のコ字状部の内部において横方向に沿って延びる円弧状のリブ２６が設けられ、リブ２６は前面板２１に向けて突出するように設けられている。そして、リブ２６の突出先端は背面板２２の内面に沿うように形成されている。これにより、前面板２１の剛性が高められると共に、背面板２２の湾曲形状を保持することができる。尚、リブ２６は、本実施形態では、前面板２１の上下２箇所に設けられているが、背面板２２に設けられてもよく、双方にそれぞれ設けられてもよく、リブ２６の上下寸法や、湾曲の程度に応じて適宜選択することができる。
【００２８】
取付部材１２は、支柱１の外周面の後方から斜め後方に突設されている。これにより、湾曲パネル２を支柱１の外周面の後方側に取付けることができるので、湾曲パネル２の前方の空間をより広く確保することができる。
【００２９】
支柱１の上端に携帯電話用の簡易アンテナを取付ければ、携帯電話の簡易アンテナ基地として利用でき、又パネルの上方にアクティブノイズデューサーを取付ければ、周りの騒音を低減することができるので携帯電話を利用した会話がしやすくなり、又、利用者の話声が周りに伝播しにくくなるので、他の通行人に会話内容が聞かれにくくなりより好ましい。更に、パネル３の代わりに有機ＥＬディスプレイを取付けてもよい。
【００３０】
図７は、簡易構造物Ｐの第二の実施形態を示す説明図であり、（ａ）は平面図、（ｂ）は正面図である。本形態に係る簡易構造物Ｐは、図１〜６に示された簡易構造物Ｐと比べて、湾曲パネル２の前方に椅子４が設けられた点が異なるのみであり、その他の点については、図１〜６に示された簡易構造物Ｐと同様である。
【００３１】
すなわち、図７に示された簡易構造物Ｐは、湾曲パネル２の前方に椅子４の脚部４１が立設され、脚部４１の上端には、同様に椅子４の座部４２が設けられたものである。これにより、歩行者等の利用者は座部４２に腰掛けて携帯電話を使用したり、休息したりすることができる。又、利用者が座部４２に腰掛けている場合、簡易構造部Ｐの左右方向から接近してくる歩行者に対しては、利用者の姿は湾曲パネル２によって隠されて目立ちにくくなる。尚、座部４２は、利用者の鞄や荷物等を置けるようにしてもよい。更に、椅子４を支柱１と湾曲パネル２とで囲まれる空間内に配置すれば、簡易構造物本体と椅子４とが別体で配置されていても、簡易構造物と一体物として認識されやすいので、景観性を損うことがない。
【産業上の利用可能性】
【００３２】
本発明によれば、歩行者等の利用者が休憩等で利用できる空間を確保すると共に、掲示体としての機能も備えた簡易構造物を提供することができるので、駅前や商業施設の広場や広幅員歩道、駅やバス等の待合いスペース等に設置して好適に利用することができる。又、駅のプラットホーム等の喫煙スペース等において湾曲パネルの前方に灰皿を配置すれば、分煙の為の間仕切りとした簡易的な喫煙スペースとして利用することができる。
【図面の簡単な説明】
【００３３】
【図１】本発明に係る簡易構造物の第１の実施形態を示す斜視図である。
【図２】図１の背面図である。
【図３】図３の平面図である。
【図４】図１の側面図である。
【図５】図１のＡ−Ａ断面における拡大横断面図である。
【図６】図３のＢ−Ｂ断面における拡大縦断面図である。
【図７】本発明に係る簡易構造物の第２の実施形態を示す説明図である。
【符号の説明】
【００３４】
１    支柱
１１  取付金具
２    湾曲パネル
２１  前面板
２２  背面板
２６  リブ
３    サイン
４    椅子
４１  脚部
４２  座部
Ｐ    簡易構造物
Ｓ    隙間
【図１】
2010047988.tif 000003
【図２】
2010047988.tif 000004
【図３】
2010047988.tif 000005
【図４】
2010047988.tif 000006
【図５】
2010047988.tif 000007
【図６】
2010047988.tif 000008
【図７】
2010047988.tif 000009